(57)【要約】【課題】、被災地において、安全に、コーヒー粉、紅茶や緑茶の葉等の内容物を濾過させて、美味しい飲み物を提供する。【解決手段】開口を有する袋状のフィルター部２と、開口を有し、気密性の素材で形成された袋状のパック部１と、フィルター部２の開口とパック部１の開口とを接続することにより形成され、フィルター部２及びパック部１の双方に連通する連通部１１とを有する包装容器１０であって、フィルター部２又はパック部１の両側面に配置され、側方に向けてそれぞれ突出可能な係合部４，４と、係合部４，４に対して着脱可能に係合され、フィルター部２及びパック部１の立設状態を保持するスタンド部３ａ，３ｂとを備える。
2015166940.tif 000002
【特許請求の範囲】
【請求項１】
開口を有する袋状のフィルター部と、
開口を有し、気密性の素材で形成された袋状のパック部と、
前記フィルター部の開口と前記パック部の開口とを接続することにより形成され、前記フィルター部及び前記パック部の双方に連通する連通部と
を有する包装容器であって、
前記フィルター部又は前記パック部の両側面に配置され、側方に向けてそれぞれ突出可能な係合部と、
前記係合部に対して着脱可能に係合され、前記フィルター部及び前記パック部の立設状態を保持するスタンド部と
を備えることを特徴とする包装容器。
【請求項２】
開口を有する袋状のフィルター部と、
開口を有し、気密性の素材で形成された袋状のパック部と、
前記フィルター部の開口と前記パック部の開口とを接続することにより形成され、前記フィルター部及び前記パック部の双方に連通する連通部と、
前記パック部の開口における内面に形成され貼り合わせることで、当該パック部を密封する密封部と、
前記密封部を開閉させるための開閉操作部と
を有することを特徴とする包装容器であって、
前記開閉操作部は、
前記パック部の開口周縁において対向する箇所に、前記パック部と一体的に形成される一対のツマミ部と、
前記ツマミ部を挟み込むように、前記ツマミ部の表裏にわたって接着されるとともに、その両端部が前記フィルター部及び前記パック部のそれぞれの表面に接着される帯状のテープ部材と
から構成されていることを特徴とする包装容器。
【請求項３】
開口を有し、水密性の素材で形成された水密容器と、
前記水密容器を収納可能な開口を有する水密性の加熱容器部と、
前記水密容器とともに前記加熱容器部内に収納され、水和反応又は酸化反応により発熱する加熱剤と、
前記加熱容器部の外表面を囲繞する断熱性の断熱部と、
前記加熱容器部の開口の周縁部に取付けられる吸水性の吸水部と
を備えることを特徴とする包装容器。
【請求項４】
開口を有し、水密性の素材で形成された水密容器と、
前記水密容器を収納可能な開口を有する水密性の加熱容器部と、
前記水密容器とともに前記加熱容器部内に収納され、水和反応又は酸化反応により発熱する加熱剤と、
前記加熱容器部の外表面を囲繞する断熱性の断熱部と、
前記加熱容器内に挿入され、前記加熱容器部の前記開口を塞ぐ蓋体部と、
前記断熱部及び前記加熱容器部の両側面における、前記加熱容器内に挿入された前記蓋体部に対応した箇所に、前記断熱部及び前記加熱容器部を貫通するようにして形成される切込部と
を備え、
前記断熱部及び前記加熱容器部は、内部に前記水密容器を収納して前記蓋体部によって前記加熱容器部の前記開口を塞いだ状態において、前記切込部よりも上部を内方に凹ませて前記蓋体部を保持する機構を有する
ことを特徴とする包装容器。
【請求項５】
開口を有し、水密性の素材で形成された水密容器と、
前記水密容器を収納可能な開口を有する水密性の袋状の加熱容器部と、
前記水密容器とともに前記加熱容器部内に収納され、水和反応又は酸化反応により発熱する加熱剤と、
前記加熱容器部の外表面を囲繞する断熱性の断熱部と、
前記加熱容器内に挿入され、前記加熱容器部の前記開口を塞ぐ蓋体部と、
前記加熱容器部の底面付近に配置され、前記蓋体部が挿入された前記加熱容器部の前記開口の形状と合致する形状を有する板状の底板部と
を備えることを特徴とする包装容器。
【発明の詳細な説明】
【技術分野】
【０００１】
本発明は、コーヒー粉、紅茶や緑茶の葉、その他の食品等の内容物の包装容器に関する。
【背景技術】
【０００２】
従来から、包装袋に収納されたコーヒー粉、紅茶や緑茶の葉、その他の食品等の内容物を濾過するために、漉し器の準備や洗浄等の手間が不要で、使い勝手もよいといったことから、使い捨てタイプのフィルターを有するドリッパーが色々と市販されている。【０００３】
このようなドリッパーの一つとして、フィルター内にコーヒー粉等の内容物を密封状態で収納した包装袋を添付したものが市販されている。例えば、特許文献１に開示されているように、ドリッパー内に予めコーヒー粉等の内容物を収納したものがあり、使用者にとっては、コーヒー粉を別途用意する手間や前記内容物をドリッパー内に充填する手間が省かれ、ドリッパーを起立させ、ドリッパーに設けられた凸起あるいは切込や切欠部を利用してカップ壁面にドリッパーを載置固定し、熱湯をドリッパー内に注ぐだけでカップ内にレギュラーコーヒーを得ることができる（例えば、特許文献１）。
【先行技術文献】
【特許文献】
【０００４】
【特許文献１】特開２００２−４５２９７号公報
【発明の概要】
【発明が解決しようとする課題】
【０００５】
ところで、大型台風や巨大地震などの災害で被災された人々は、精神的苦痛が大きく、また避難地や仮設住宅での生活が強いられることから、このような被災者に対し、コーヒーなどの嗜好品を内容物の風味が損なわれずに提供することは、傷心の被災者の心をいくばかりでも慰めることができると考えられている。【０００６】
しかしながら、災害発生時の非常事態のもとでは、ガスや電気等の熱源の確保が不可能となることが予想される。また、カセットコンロなどの持ち運び可能なガス供給手段を用いた場合には、配管からのガス漏れにより引火の危険性がある。【０００７】
そこで、本発明は、上記のような問題を解決するものであり、被災地においても、安全で且つ美味しい飲み物を提供することができる包装容器を提供することを目的とする。
【課題を解決するための手段】
【０００８】
上記課題を解決するために、本発明の包装容器は、開口を有する袋状のフィルター部と、開口を有し、気密性の素材で形成された袋状のパック部と、フィルター部の開口とパック部の開口とを接続することにより形成され、フィルター部及びパック部の双方に連通する連通部とを有する包装容器であって、フィルター部又はパック部の両側面に配置され、側方に向けてそれぞれ突出可能な係合部と、係合部に対して着脱可能に係合され、フィルター部及びパック部の立設状態を保持するスタンド部とを備えることを特徴とする。【０００９】
なお、本発明の包装容器に収納される内容物としては、例えば、コーヒー粉、紅茶や緑茶の葉、その他の食品はもとより、薬品、化粧品、化学品の他電子部品など空気に触れないようにして保存する必要のある物のすべてが含まれる。【００１０】
このような本発明によれば、パック部に内容物を収納することにより、真空パックが可能となり、内容物が外気に触れて酸化するのを防ぐことができ、内容物の変質を抑止することができる。このときフィルター部は、パック部の外にあり、内容物に接触することがない。これにより、フィルター部の臭いなどが内容物に移ることにより内容物の風味が損なわれることがない。【００１１】
そして、本発明では、フィルター部又はパック部の両側面に配置され、側方に向けてそれぞれ突出可能な係合部と、係合部に対して着脱可能に係合され、フィルター部及びパック部の立設状態を保持するスタンド部とを備えているので、コップなどの縁にスタンド部を配置させ、そのスタンド部に係合部を係合させることで、内容物が入ったフィルター部をコップの開口より上部に位置させることができ、フィルター部がコップ内の液体に浸かることが防止できる。その結果、内容物の風味を損なうことを防止し、被災地においても美味しい飲み物を提供することができる。【００１２】
また、他の発明は、開口を有する袋状のフィルター部と、開口を有し、気密性の素材で形成された袋状のパック部と、フィルター部の開口とパック部の開口とを接続することにより形成され、フィルター部及びパック部の双方に連通する連通部と、パック部の開口における内面に形成され貼り合わせることで、当該パック部を密封する密封部と、密封部を開閉させるための開閉操作部とを有することを特徴とする包装容器であって、開閉操作部は、パック部の開口周縁において対向する箇所に、パック部と一体的に形成される一対のツマミ部と、ツマミ部を挟み込むように、ツマミ部の表裏にわたって接着されるとともに、その両端部がフィルター部及びパック部のそれぞれの表面に接着される帯状のテープ部材とから構成されていることを特徴とする。【００１３】
このような発明によれば、包装時にあっては、パック部に、コーヒー粉、紅茶や緑茶の葉等の内容物を収納し、開閉操作部を用いて密封部を封止して、当該パック部内を密封する。これにより、パック部に内容物を収納することにより、内容物が外気に触れて酸化するのを防ぐことができ、内容物の変質を抑止することができる。【００１４】
また、パック部に内容物を収納することにより、内容物が外気に触れて酸化するのを防ぐことができ、内容物の変質をよくしすることができる。このときフィルター部は、パック部の外にあり、内容物に接触することがない。これにより、フィルター部の臭いなどが内容物に移ることにより内容物の風味が損なわれることがない。【００１５】
一方、使用時にあっては、開閉操作部を用いて密封部を開放して、当該パック部の密封を解除することで、パック部内の内容物を、連通部を介し、フィルター部側に移動させて、フィルター部において内容物を濾過することができる。内容物をフィルター部側へ移動させた後のパック部は、例えば切り取り線などを設けておくことによって、パック部を連通部から切り離すようにしてもよい。【００１６】
特に、本発明において開閉操作部は、パック部の開口周縁において対向する箇所に、パック部と一体的に形成される一対のツマミ部と、ツマミ部を挟み込むように、ツマミ部の表裏にわたって接着されるとともに、その両端部がフィルター部及びパック部のそれぞれの表面に接着される帯状のテープ部材とから構成されているので、このような開閉操作部を掴んで、左右に拡げた際、その応力がツマミ部に集中することなく、両端部に接着されたフィルター部及びパック部に伝達することができるので、例えば、外付けのツマミ部をパック部に熱圧着や接着剤を貼り付ける構成で発生する引っ張ることでツマミ部が切れてしまう現象を防止でき、また、その応力をツマミ部と一体的に形成されているパック部の密封部に適切に伝達させることができる。【００１７】
また、他の発明は、開口を有し、水密性の素材で形成された水密容器と、水密容器を収納可能な開口を有する水密性の加熱容器部と、水密容器とともに加熱容器部内に収納され、水和反応又は酸化反応により発熱する加熱剤と、加熱容器部の外表面を囲繞する断熱性の断熱部と、加熱容器部の開口の周縁部に取付けられる吸水性の吸水部とを備えることを特徴とする。【００１８】
このような発明によれば、水密容器に水を入れた状態で加熱容器部内に収納し、その加熱容器部内に水を入れることで、加熱容器部内に収納された加熱剤に水和反応又は酸化反応を生じさせ、加熱容器部内の水密容器を加熱することができる。これにより、本発明では、災害発生時などにおいて、ガスや電気を用いることなくお湯を沸かすことができるので、美味しい飲み物を安全に提供することができる。【００１９】
また、本発明では、加熱容器部の外表面を囲繞する断熱性の断熱部を備えているので、お湯が沸いた場合でも断熱部を介して加熱容器部を掴むことができるので、利用者は、火傷することなく包装容器全体を掴んで、内容物が収納されたフィルターにお湯を注ぐことができる。【００２０】
さらに、本発明では、加熱容器部の開口の周縁部に吸水性の吸水部が取付けられているので、包装容器を掴んで傾けた場合、加熱剤と反応させるための水は吸水部によって吸水され、フィルター内に反応水が注がれてしまうことを防止できる。【００２１】
また、他の発明は、水密容器を収納可能な開口を有する水密性の加熱容器部と、水密容器とともに加熱容器部内に収納され、水和反応又は酸化反応により発熱する加熱剤と、加熱容器部の外表面を囲繞する断熱性の断熱部と、加熱容器内に挿入され、開口を塞ぐ蓋体部と、断熱部及び加熱容器部の両側面における、加熱容器内に挿入された蓋体部に対応した箇所に、断熱部及び加熱容器部を貫通するようにして形成される切込部とを備え、断熱部及び加熱容器部は、内部に水密容器を収納して蓋体部によって開口を塞いだ状態において、切込部よりも上部を内方に凹ませて蓋体部を保持する機構を有することを特徴とする。【００２２】
このような発明によれば、水密容器に水を入れた状態で加熱容器部内に収納し、その加熱容器部内に水を入れることで、加熱容器部内に収納された加熱剤によって水和反応又は酸化反応を生じさせ、加熱容器部内の水密容器を加熱することができる。これにより、本発明では、災害発生時などにおいて、ガスや電気を用いることなくお湯を沸かすことができるので、美味しい飲み物を安全に提供することができる。【００２３】
さらに、本発明では、蓋体部によって開口を塞いでいるので、水和反応又は酸化反応によって発生した熱源が加熱容器部から排出されてしまうことが防止でき、水密容器内の水を短時間で沸かすことができる。【００２４】
さらに、本発明では、断熱部及び加熱容器部の両側面における、加熱容器内に挿入された蓋体部に対応した箇所に、断熱部及び加熱容器部を貫通するようにして形成される切込部とを備え、断熱部及び加熱容器部は、内部に水密容器を収納して蓋体部によって開口を塞いだ状態において、切込部よりも上部を内方に凹ませて蓋体部を保持する機構を有しているので、加熱剤の水和反応又は酸化反応によって加熱容器部内の蒸気圧が変化し、蓋体部が開口から外れてしまうことを防止できる。【００２５】
また、他の発明は、開口を有し、水密性の素材で形成された水密容器と、前記水密容器を収納可能な開口を有する水密性の袋状の加熱容器部と、前記水密容器とともに前記加熱容器部内に収納され、水和反応又は酸化反応により発熱する加熱剤と、前記加熱容器部の外表面を囲繞する断熱性の断熱部と、前記加熱容器内に挿入され、前記加熱容器部の前記開口を塞ぐ蓋体部と、前記加熱容器部の底面付近に配置され、前記蓋体部が挿入された前記加熱容器部の前記開口の形状と合致する形状を有する板状の底板部とを備える。【００２６】
このような発明によれば、加熱容器部の底部及び断熱部の下部の開放状態を維持することができ、加熱容器部の容器形状及び開口の開放状態を安定させるとともに、断熱部１０３の底側の開口状態を固定し、加熱容器部及び断熱部を自立させることができる。
【発明の効果】
【００２７】
以上述べたように、この発明によれば、被災地において、安全に、コーヒー粉、紅茶や緑茶の葉等の内容物を濾過させて、美味しい飲み物を提供することができる。
【図面の簡単な説明】
【００２８】
【図１】実施形態に係る包装容器の包装時における全体構成を示す斜視図である。
【図２】実施形態に係る包装容器の開封時における全体構成を示す斜視図である。
【図３】（ａ）及び（ｂ）は、実施形態に係る開閉操作部の構成を示す斜視図である。
【図４】実施形態に係る包装容器の開閉操作部の構成を示す断面図である。
【図５】（ａ）及び（ｂ）は、実施形態に係る包装容器の開口における封止を解除する状態を示す説明図である。
【図６】実施形態に係る包装容器の切り離し時における全体構成を示す斜視図である。
【図７】実施形態に係るスタンド部の構成を示す上面図である。
【図８】（ａ）は、実施形態に係るスタンド部をコップに設置した状態を示す斜視図であり、同図（ｂ）は、実施形態に係るスタンド部にフィルター部を引っ掛けた状態を示す斜視図である。
【図９】実施形態に係る加熱用具の全体構成を示す概略図であり、
【図１０】実施形態に係る加熱容器部及び断熱部の構成を示す斜視図である。
【図１１】実施形態に係る水密容器部の蓋部を示す斜視図である。
【図１２】（ａ）は、本実施形態に係る蓋体部の固定状態を示す斜視であり、同図（ｂ）は、上面図であり、同図（ｃ）は、他の構成における蓋体部の固定状態を示す斜視図である。
【図１３】（ａ）〜（ｄ）は、実施形態に係る加熱用具の使用状態を示す説明図である。
【図１４】実施形態に係る加熱用具の使用状態を示す説明図である。
【図１５】（ａ）及び（ｂ）は、実施形態に係る蓋体部の防水構造の一例を示す説明図である。
【図１６】（ａ）及び（ｂ）は、実施形態に係る蓋体部の防水構造の一例を示す説明図である。
【発明を実施するための形態】
【００２９】
以下に添付図面を参照して、本発明に係る包装容器の実施形態を詳細に説明する。なお、本実施形態においては、包装容器内に収納される内容物としてコーヒー粉を例に説明するが、発明の包装容器はこれに限定されるものではなく、コーヒー粉、紅茶や緑茶の葉、その他の食品はもとより、薬品、化粧品、化学品の他電子部品など空気に触れないようにして保存する必要のある物のすべてに利用可能である。
【００３０】
（包装容器の構成）
図１は、本実施形態に係る包装容器１０の全体構成を示す斜視図である。同図に示すように、本実施形態に係る包装容器１０は、フィルター部２と、パック部１と、スタンドシート３とから概略構成される。なお、図１は、本発明の包装容器１０をさらに透明な気密性の包装パック５内に真空パックした状態を示し、図２は、包装容器１０を包装パック５から取り出した状態を示す斜視図である。また、図３（ａ）及び（ｂ）は、本実施形態に係る開閉操作部の構成を示す斜視図であり、図４は、本実施形態に係る包装容器の開閉操作部の構成を示す断面図である。
【００３１】
パック部１は、内容物６を収納する気密性の素材で形成された袋状の部材であり、下部に開口１ａを有し、この開口１ａを介して、下方に位置されるフィルター部２と連結されている。このパック部１としては、気密性を有する素材であれば、ビニールやアルミパックなどの他、完全に密封しないように不織布や紙で形成することもできる。
【００３２】
このパック部１の開口１ａにおける内面には、パック部１の内部の気密性を保持する密封部１２が設けられている。密封部１２は、パック部１の開口１ａにおける内側表面に形成され、当該内側表面を貼り合わせて開口１ａを封止することで、パック部１を密封する密封手段である。本実施形態において、密封部１２は、凹凸形状を噛み合わせて密着させる樹脂製ジッパーを備えた合成樹脂製袋（例えば、旭化成工業株式会社，エス・シー・ジョンソン・ホーム・ストーリッジインコーポレーテッド所有登録商標「ジップロック」で知られている合成樹脂製袋など）を用いられており、相互に嵌合可能な一対の凹条部１２ａと凸条部１２ｂとを、パック部１の内側表面に形成して構成させる。この凹条部１２ａと凸条部１２ｂとは、パック部１の幅方向に設けられ、両シートが重なり合ったときに、相対向する位置に形成されている。
【００３３】
なお、この密封部１２の構成としては、例えば、パック部１の部位を熱溶着（ヒートシール）、その他の圧着方法、又は粘着シートなどの粘着性の材料によりパック部１表裏のシート材を密着させてもよい。
【００３４】
また、パック部１の密封部１２より開口１ａ側には、フィルター部２及びパック部１の双方に連通する連通部１１が設けられている。連通部１１は、フィルター部２の開口２ａとパック部１の開口１ａとを接続することにより形成される。具体的には、パック部１の開口１ａ側の端部１３を、フィルター部２の開口２ａ内側に配置させ、その状態でフィルター部２の開口２ａにおける内側表面を貼り合わせることで、パック部１とフィルター部２とを接続させる。そして、フィルター部２の外側表面から、パック部１とフィルター部２とが重なり合う部分を、熱溶着や、その他の圧着方法により密着させる。
【００３５】
フィルター部２は、内容物６を濾過する袋状の濾過材であり、コーヒーフィルターに用いられる濾紙や、ポリエチレン系やポリプロピレン系、あるいは、ポリエステル系等の透水性を有する不織布を用いて構成することができる。このフィルター部２の上部には、開口２ａが設けられており、この開口２ａを含む連通部１１を介してパック部１が連結されている。
【００３６】
そして、連通部１１には、密封部１２を開閉させるための開閉操作手段である一対の開閉操作部１５，１５が設けられている。一対の開閉操作部１５、１５は、図１及び図２に示すように、連通部１１の両面にそれぞれ設けられている。また、各開閉操作部１５は、密封部１２に対応する外側表面であって、略中央部分にそれぞれ配置されている。
【００３７】
この開閉操作部１５は、図３（ａ）に示すように、パック部１の開口周縁において対向する箇所に、パック部１と一体的に形成される一対のツマミ部１３ｃ，１３ｃと、ツマミ部１３ｃを挟み込むように、ツマミ部１３ｃの表裏にわたって接着されるとともに、その両端部がフィルター部２及びパック部１のそれぞれの表面に接着される帯状のテープ部材１７とから構成されている。
【００３８】
詳述すると、図３（ａ）に示すように、パック部の端部１３には、密封部１２から開口２ａ側の端部にわたって２つの切り込み１３ａ，１３ｂを有しており、その切り込み１３ａ，１３ｂの間にシート状のツマミ部１３ｃ，１３ｃが形成される。このツマミ部１３ｃは、図３（ｂ）に示すように密封部１２側を固定端として他端が自由端となっており、パック部１とフィルター部２とが連通された際、外方に突出可能となっている。
【００３９】
テープ部材１７は、このようなツマミ部１３ｃが外方に突出された状態で、ツマミ部１３ｃを挟み込み、粘着層１７ａをツマミ部１３ｃの表裏両面に接着させることで、ツマミ部１３ｃを両面から保持する。さらに、テープ部材１７の一端１７ｂは、パック部１の外側表面に貼り付けられ、他端１７ｃはフィルター部２の外側表面に貼り付けられる。
【００４０】
これにより、図４に示すように、一対の開閉操作部１５，１５は、それぞれツマミ部１３ｃを挟み込んで保持するとともに、パック部１及びフィルター部２に接着された状態となる。そして、使用時においては、図５（ａ）に示すように、ユーザーが一対の開閉操作部１５，１５を掴んだ状態で、反対側に引っ張ることで図５（ｂ）に示すように、その応力が密封部１２に伝達されて密封部１２の係合状態が解除され、これにより、連通部１１が開放されてパック部１とフィルター部２とが連通するようにしている。なお、ツマミ部１３ｃの形状は上述した形状に限定するものではなく、種々の形状とすることができるものとする。
【００４１】
なお、連通部１１のフィルター部２側には、図２に示すように、ミシン目や、線状のガイドフィルムによって形成された切り取り線７を設けられており、この切り取り線７に沿って、フィルター部２の一部を切り離すことで、図６に示すように、パック部１をフィルター部２から切り離せるようになっている。
【００４２】
さらに、フィルター部２の両側の外周面には、側方に向けてそれぞれ突出可能な係合部４，４を設けられている。この係合部４，４は、紙、プラスチックシート等の薄板状材料からなり、切込線４ａがそれぞれ設けられ、係合部４，４を左右に若干拡げることができるようになっている。
【００４３】
具体的に、係合部４，４は、その周縁側に形成されている周縁部４３と、周縁部４３の内側にあって、フィルター部２から引き起こし可能に形成された略十字状のアーム部４２と、アーム部４２の両側を囲うように形成された略コの字上の支持部４１とからなり、アーム部４２の上部で周縁部４３とアーム部４２とが連続し、アーム部４２の下部でアーム部４２と支持部４１とが連続し、アーム部４２の基部と支持部４１（図２中網掛けした部分）がフィルター部２の外表面に貼着されている。周縁部４３は、その上下にそれぞれ２つの折り込み線が形成されており、この折り込み線に沿って折り曲げることで、周縁部４３の両端面が向かい合いように形成される。
【００４４】
このような係合部４は、一枚のシート部材から形成され、そのシート部材に切込線４ａを形成させることで、周縁部４３、アーム部４２、及び支持部４１が形成される。具体的に、係合部４は、その外形が矩形となっている。そして、周縁部４３は、係合部４の全周に帯状に形成され、周縁部４３と、アーム部４２及び支持部４１とは、矩形の係合部４の両側辺、下辺、及び上辺の一部に略沿った外側切込線Ｌ１で区切られている。また、アーム部４２と支持部４１とは、外側切込線Ｌ１の内側であって、外側切込線Ｌ１の両端中間部から内部に向かって形成され、互いが対向するように逆Ｌ字状に形成された一対の内側切込線Ｌ２で区切られている。
【００４５】
なお、係合部４において、周縁部４３の外周部には、係合部４の両端辺、及び上辺に沿った切込線Ｌ３で周縁部４３と区切られている補強部４４が形成されており、この補強部４４はフィルター部２の外表面に貼着されている（図２中網掛けした部分）。係合部４の形状は、上述した形状に限定されるものではなく、異なる切込線を形成させて種々の形状とすることができる。
【００４６】
このような係合部４は、係合部４，４に対して着脱可能に係合され、フィルター部２及びパック部１の立設状態を保持するスタンド部３ａ，３ｂによって、フィルター部２をマグカップ９上に設置することができる。図７は、本実施形態に係るスタンド部の構成を示す上面図であり、図８（ａ）は、実施形態に係るスタンド部をコップに設置した状態を示す斜視図であり、同図（ｂ）は、実施形態に係るスタンド部にフィルター部を引っ掛けた状態を示す斜視図である。
【００４７】
スタンド部３ａ，３ｂは、厚紙、又はプラスチック等の所定強度を有するシート部材からなり、図７に示すように、一枚のシート状のスタンドシート３を切り取り線３３で切り離すことで、一対のスタンド部３ａ，３ｂが形成される。本実施形態において、スタンドシート３には、長手方向に平行な２つの折り曲げ線３１，３１が設けられており、折り曲げ線３１，３１を介して、一対の両端部３０ａ，３０ａと、中央部３０ｂとが形成される。
【００４８】
さらに、一対の両端部３０ａ，３０ａには、切り取り線３３に対して線対称となるように縦長で略楕円状の孔部３２，３２がそれぞれ形成されており、切り取り線３３にそって、スタンドシート３を切り離すことで、図７に示すように、各スタンド部３ａ，３ｂにおける両端部３０ａ，３０ａには、一対の切り欠き部３４、３４が形成されるようになっている。
【００４９】
このような構成により、スタンド部３ａ，３ｂを折り曲げ線３１，３１で折り曲げて断面コの字状とし、図８（ａ）に示すように、スタンド部３ａ，３ｂの中央部３０ｂがマグカップ９の内部に位置するように、マグカップ９の縁に切り欠き部３４を差し込んで起立させる。この際、それぞれのスタンド部３ａ、３ｂは、マグカップ９の縁で対向するように配置させる。その状態で、係合部４，４の周縁部４３，４３を折れ曲げ線に沿って折り曲げて立体化させ、周縁部４３，４３をスタンド部３ａ、３ｂの中央部３０ｂと両端部３０ａ，３０ａとで囲まれた空間内に上部から差し込んで、引っ掛けることにより、フィルター部２の立設状態を保持するとともに、フィルター部２をマグカップ９の開口９ａより上部に配置させる。
【００５０】
なお、包装パック５の上部には、ミシン目や、線状のスタンドフィルムによって形成された切り取り線５ｂが設けられており、切り取り線５ｂの両側部には切欠部５ａ，５ａが設けられている。この切欠部５ａ，５ａ、及び切り取り線５ｂに沿って包装パック５の一部を切り離すことで、包装容器１０を取り出すことができる。
【００５１】
（加熱用具）
次いで、フィルター部２に注がれる熱湯を供給する加熱用具１００を含めた包装容器について説明する。図９は、本実施形態に係る加熱用具１００の全体構成を示す概略図であり、図１０は、加熱容器部の構成を示す斜視図である。また、図１１は、本実施形態に係る水密容器１１０の蓋部１１１を示す斜視図である。図１２（ａ）は、本実施形態に係る蓋体部の固定状態を示す斜視であり、同図（ｂ）は、上面図であり、同図（ｃ）は、他の構成における蓋体部の固定状態を示す斜視図である。図１３（ａ）〜（ｄ）、及び図１４は、本実施形態に係る加熱用具の使用状態を示す説明図である。
【００５２】
図９に示すように、加熱用具１００は、フィルター部２に必要な熱湯を沸かして供給する用具であって、加熱容器部１０１と、断熱部１０３と、水密容器部１１０と、蓋体部１４０と、加熱剤１２０と、吸水部１３０とから構成されている。この加熱用具１００は、保管時には、加熱容器部１０１内部に、水密容器部１１０と、蓋体部１４０と、加熱剤１２０と、吸水部１３０とが封入できるようになっている。
【００５３】
加熱容器部１０１は、図１０に示すように、２枚のシートの底部及び両側部を貼り合わせるとともに下部に底面を形成し、上部に水密容器部１１０を収納可能な開口１０１ａを有する袋状の部材である。加熱容器部１０１は、アルミニウム箔など耐熱性フィルムで形成されて水密性を確保している。このような加熱容器部１０１において底面は、押し広げることにより楕円状に形成されて水平な底となるとともに、保管時には、中央部において山折りにされて潰れるようになっており、折り畳むことが可能となっている。断熱部１０３は、加熱容器部１０１の外表面を囲繞する断熱性の部材であり、厚紙やスポンジ、ウレタン、発泡スチロール、その他の樹脂など、ある程度の耐水性・耐熱性を有する素材で形成されている。なお、断熱部１０３は、加熱容器部１０１の底部も覆うように袋状に形成させてもよい。
【００５４】
吸水部１３０は、加熱容器部１０１の開口１０１ａの周縁部に取付けられる吸水性の部材であり、例えば、液体を含侵させるスポンジ、繊維、ポリマー、又はシリカゲル等などが用いることができる。本実施形態において、吸水部１３０は、加熱容器部１０１の開口の周縁部を挟み込むように形成されており、その一部が加熱容器部１０１の内部に配置されている。
【００５５】
水密容器部１１０は、内部に飲料水を収納する水密性の素材で形成された袋状の部材であり、ポリエチレンなどの合成樹脂で形成されている。この水密容器部１１０の上部には、外部と連通する筒状であって開口を有する首部１１０ａが形成されており、この首部１１０ａの外周部には、蓋部１１１を螺着するためのねじが形成されている。蓋部１１１がこの首部１１０ａに螺合されることで、水密容器部１１０は密閉状態となる。
【００５６】
水密容器部１１０の蓋部１１１には、図１１に示すように、外側面に貫通孔１１２ａを有する取手部１１２が形成されており、棒状部材１１４を貫通孔１１２ａに挿通させて持ち上げたり、棒状部材１１４を回転させることで、蓋部１１１と首部１１０ａとの螺合状態を解除させることができるようになっている。なお、水密容器部１１０は、加熱容器部１０１内に保管する場合には、内部は空となっており、使用時に首部１１０ａの開口を通じて水が注ぎ込まれるようになっている。また、水密容器部１１０内には、１杯、又は複数杯分の水が収納可能な大きさになっているものとする。
【００５７】
蓋体部１４０は、加熱容器部１０１内に挿入され、開口を塞ぐ板状部材であり、加熱容器部１０１内で発生した熱源が外部に放出されることを防止している。この蓋体部１４０、厚紙などの熱遮断材を防水性を有する合成樹脂シートで覆って形成されている。また、蓋体部１４０は、加熱容器部１０１の開口１００ａの形状と合致するように、略楕円形状をなしている。
【００５８】
そして、本実施形態において、加熱容器部１０１及び断熱部１０３には、蓋体部１４０を保持する機構を有している。詳述すると、加熱容器部１０１には、図１０に示すように、断熱部１０３及び加熱容器部１０１の両側面における、加熱容器内に挿入された蓋体部１４０に対応した箇所に、断熱部１０３及び加熱容器部１０１を貫通するようにして形成される切込部１０４、１０４が形成されている。
【００５９】
そして、断熱部１０３及び加熱容器部１０１は、図１２（ａ）に示すように、内部に水密容器部１１０を収納して蓋体部１４０によって開口を塞いだ状態において、切込部１０４よりも上部を内方に凹ませて、蓋体部１４０の一部を切込部１０４，１０４に挿通させている。これにより、図１２（ｂ）に示すように、蓋体部１４０の一部が切込部１０４，１０４から外部に突出されることとなり、蓋体部１４０を加熱容器部１０１、及び断熱部１０３で保持するようになっている。また、蓋体部１４０は、図１２（ｂ）に示すように、加熱容器部１０１の開口１０１ａを覆うように形成されるため、加熱容器部１０１内で発生した熱源が外部に放出されることを防止できる。
【００６０】
なお、このような蓋体部１４０を保持する機構は、図１２（ｃ）に示すように、内部に水密容器部１１０を収納して蓋体部１４０によって開口を塞いだ状態において、弾性を有するゴム紐１６０で断熱部１０３及び加熱容器部１０１の外周を巻回する構成であってもよい。
【００６１】
加熱剤１２０は、水密容器部１１０とともに加熱容器部１０１内に収納され、水和反応又は酸化反応により発熱する部材であり、本実施形態では、アルミニウム粉末と生石灰を混ぜてなる発熱材からなる。この加熱剤１２０は、保管時には、水密性を有する袋体で密閉されている。一方、使用時には、袋体から取り出されて水が注がれることで、加熱剤１２０の生石灰と水を反応して発熱を開始する。その反応熱により、アルミニウム粉末が高温の反応水と反応し、さらに発熱して高温となる。
【００６２】
そして、高温になった反応水の一部は、水蒸気となる。この際、本実施形態では、蓋体部１４０で開口１０１ａを覆っているので、加熱容器部１０１の中に水蒸気を充満させて水密容器部１１０内の水を沸かし易くしている。さらに、本実施形態において、蓋体部１４０は、加熱容器部１０１の切込部１０４に挿通されて保持されているので、発生した水蒸気による圧力によって蓋体部１４０が外れてしまうことを防止できる。なお、このように発生した水蒸気は、蓋体部１４０と加熱容器部１０１の隙間及び切込部１０４の隙間から一部が抜け出させることもでき、これにより、加熱用具１００の内圧を調整してもよい。
【００６３】
また、本実施形態においては、切込部１０４から抜け出される一部の水蒸気を断熱部１０３が吸水してしまうことを防止する機構が設けられている。この機構としては、図１５（ａ）に示すように、切込部１０４の下側において下端が断熱部１０３の外表面に固定され、上端が自由端となったカバー部１０５が貼り付けられている。このカバー部１０５は、半円状の部材で、その下辺が切込部１０４に沿って形成されており、図１５（ｂ）に示すように、蓋体部１４０を切込部１０４に挿通させ、断熱部１０３及び加熱容器部１０１の切込部１０４よりも上部を内方に凹ませた際、カバー部１０５を蓋体部１４０の表面と当接するように折り曲げることで、切込部１０４の隙間を塞ぐようになっている。
【００６４】
さらに、他の機構としては、図１６（ａ）に示すように、蓋体部１４０の両側部に、断熱部１０３の両側部にある切込部１０４、１０４に挿通され、切込部１０４、１０４から外方に突出される突出部１４２，１４２を形成してもよい。この突出部は矩形の板部材であり、その切込部１０４に差し込まれることで、外方に向けて外端部が突出される。このように、突出部１４２の外端部までの幅を広くさせることで、切込部１０４から外部に排出された水蒸気が突出部１４２の底面に沿って外方に流すことができる。これらのような機構により切込部１０４の上方に位置する断熱部１０３が水蒸気を吸水してしまい、断熱部１０３の強度が低下してしまうことを防止できる。
【００６５】
なお、上述した加熱用具１００としては、図１７及び図１８に示すような変更を加えることができる。すなわち、加熱容器部１０１の底面付近に配置され、蓋体部１４０が挿入された開口１０１ａの形状と合致する形状を有する板状の底板部１４１を設けてもよい。詳述すると、底板部１４１を例えば楕円形に形成するとともに、断熱部１０３の下部における加熱容器部１０１底部よりも下方に空間ができるように形成し、この空間内に、断熱部１０３の下部開口から底板部１４１を水平に嵌め込み、断熱部１０３の下部を水平方向に押し広げるようにする。
【００６６】
これにより加熱容器部１０１の底部及び断熱部１０３の下部の開放状態を維持することができ、加熱容器部１０１の容器形状及び開口１０１ａの開放状態を安定させるとともに、断熱部１０３の底側の開口状態を固定し、加熱容器部１０１及び断熱部１０３を自立させることができる。
【００６７】
このとき、断熱部１０３の下部空間において、断熱部１０３の内壁面に、厚みのあるシート部材で形成されたストッパ１０３ａを、加熱容器部１０１の底面から隙間ができるように離間させて貼り付け、断熱部１０３の下部開口に嵌め込まれた底板部１４１がこの隙間に嵌合させるようにする。これにより断熱部１０３の下部開口に嵌め込まれた底板部１４１をストッパ１０３ａで下方から支持することができ、底板部１４１が脱落するのを防ぐことができる。
【００６８】
また、蓋体部１４０には、その両端部に切欠を形成して噴出穴１４０ａを設けてもよい。これにより加熱容器部１０１内で発生した水蒸気を噴出孔１４０ａから排出することができる。さらに、蓋体部１４０の中央には水密容器１１０の蓋部１１１の外形の水平断面形状と合致した嵌合孔１４０ｂを形成してもよい。この嵌合孔１４０ｂを蓋部１１１に嵌合させることにより、蓋体部１４０を固定することができ、水蒸気の圧力などによって蓋体部１４０が浮き上がるのを防止できる。なお、この嵌合孔１４０ｂを設けることにより、上述した切込部１０４等による蓋体部１４０を保持する機構を省略することができ、加熱用具１００の構成を簡素化することができる。
【００６９】
（使用方法）
このような本実施形態に係る包装容器１０を使用する場合、包装時にあっては、先ず、パック部１において、一対の凹条部１２ａと凸条部１２ｂとを噛み合わせ、密封部１２のパック部１の開口１ａを封止する。次いで、パック部１の端部１３をフィルター部２の開口２ａに差し込む。その状態でフィルター部２の開口２ａにおける内側表面を貼り合わせ、パック部１とフィルター部２とが重ね合った部分を熱溶着等させることで密着させる。なお、この際、パック部１のツマミ部１３ｃ，１３ｃは、外方に突出させておく。
【００７０】
次に、テープ部材１７をツマミ部１３ｃの表裏両面を挟み込んで、粘着層１７ａをツマミ部１３ｃの両面に貼り合わせて、ツマミ部１３ｃを両面から保持する。さらに、テープ部材１７の一端１７ｂを、パック部１の外側表面に貼り付け、他端１７ｃをフィルター部２の外側表面に貼り付ける。
【００７１】
その後、フィルター部２とパック部１とを連結された状態で、パック部１の開口１ａとは反対側に開口部を形成させ、その開口部から内容物６を収納させる。そして、パック部１に内容物６を収納させた後に、熱溶着などの処理で開口部を封止することで、パック部１を密封させる。このように、フィルター部２とパック部１とを接着されて一体化させた状態で内容物６をパック部１に収納させることで、包装容器１０を生産させた後、内容物６を収納させる工程を実行することができ、製造効率を向上させ、量産化することができる。
【００７２】
一方、使用時にあっては、先ず、包装パック５を開けた後、スタンド部３ａ、３ｂを組み立てる。具体的には、図７に示すように、スタンドシート３を切り取り線３３に沿って切り離してスタンド部３ａ，３ｂを形成させ、各スタンド部３ａ，３ｂを折り曲げ線３１，３１で折り曲げる。その後、図８（ａ）に示すように、スタンド部３ａ，３ｂの中央部３０ｂがマグカップ９の内部に位置するように、マグカップ９の縁に切り欠き部３４を差し込んで起立させる。この際、それぞれのスタンド部３ａ、３ｂは、マグカップ９の縁で対向するように配置させておく。
【００７３】
その後、包装容器１０を手に持ち、パック部１の開口１ａの封止を解除することで、パック部１内の内容物６をフィルター部２側に移動させて、フィルター部２において内容物６を濾過させる。具体的には、先ず、図５（ａ）及び（ｂ）に示すように、密封部１２に対応する外側表面に位置する開閉操作部１５，１５を反対側に引っ張ることにより密封部１２の噛み合わせを解除して、パック部１の開口１ａの封止を解除する。
【００７４】
内容物６をフィルター部２側へ移動させた後、切り取り線７を引きちぎるなどして、フィルター部２からパック部１を切り離す。その後、図８（ｂ）に示すように、係合部４，４の周縁部４３，４３を折れ曲げ線に沿って折り曲げて立体化させ、周縁部４３，４３をスタンド部３ａ、３ｂの中央部３０ｂと両端部３０ａ，３０ａとで囲まれた空間内に上部から差し込んで、引っ掛けることにより、フィルター部２をマグカップ９の開口９ａより上部に配置させた状態で設置する。
【００７５】
次いで、加熱用具１００を用いてお湯を沸かす。先ず、加熱容器部１０１の底面の山折り部を平らにして、その上に、水密性の袋体から取り出して加熱剤１２０を載置する。さらに、水密容器部１１０の蓋部１１１を取り外し、首部１１０ａの開口から飲料用の水１１５を注ぎ込む。水密容器部１１０の内部に水が収納されたら、蓋部１１１で首部１１０ａの開口を塞ぎ、加熱剤１２０の上に載置するように、加熱容器部１０１内に収納する。その後、図１３（ｂ）示すように、水１２１を加熱容器部１０１の開口１０１ａより内部に注ぎ込こむ。
【００７６】
水１２１を加熱容器部１０１内に注ぎ込んだ後には、図１３（ｃ）に示すように、蓋体部１４０を加熱容器部１０１の開口１０１ａから内部に入れて、蓋体部１４０によって開口を塞いだ状態にするとともに、断熱部１０３及び加熱容器部１０１を、切込部１０４よりも上部を内方に凹ませて蓋体部１４０を保持する。
【００７７】
加熱容器部１０１の水平で平らとなった底面上に載置された加熱剤１２０は水１２１に浸る。これにより、加熱剤１２０は、表面全体から均一に水１２１を吸収し、生石灰は発熱を開始する。その反応熱により、アルミニウム粉末が高温の反応水と反応し、さらに発熱して高温となる。
【００７８】
高温になった水１２１の一部は、図１３（ｃ）に示すように、水蒸気となり、その上方に設けられて蓋体部１４０によって加熱容器部１０１の中に充満する。そして、加熱容器部１０１の中の水密容器部１１０は、外側から加熱され、その内部に収納された飲料用の水は加熱される。その後、所定時間経過後、図１３（ｄ）に示すように、棒状部材１１４を貫通孔１１２ａに挿通させて持ち上げ、棒状部材１１４を回転させることで、蓋部１１１と首部１１０ａとの螺合状態を解除させる。
【００７９】
そして、図１４に示すように、マグカップ９の上にフィルター部２を配置させた状態で、断熱部１０３を掴んで加熱用具１００を傾け、水密容器部１１０内のお湯をフィルター部２の開口２ａに注ぎ、内容物６を濾過する。この際、加熱容器部１０１の開口の周縁部には、吸水部１３０が設けられているので、加熱容器部１０１内に残存する水１２１が加熱容器部１０１の開口１０１ａに流れ込んだ場合、その吸水部１３０に吸水されるこことなり、外部に漏れることを防止している。
【００８０】
（作用・効果）
このように、本実施形態の包装容器１０は、開口を有する袋状のフィルター部２と、開口を有し、気密性の素材で形成された袋状のパック部１と、フィルター部２の開口２ａとパック部１の開口１ａとを接続することにより形成され、フィルター部２及びパック部１の双方に連通する連通部１１とを備えているので、パック部１に内容物を収納することにより、内容物６が外気に触れて酸化するのを防ぐことができ、内容物６の変質をよくしすることができる。このときフィルター部２は、パック部１の外にあり、内容物６に接触することがない。これにより、フィルター部２の臭いなどが内容物６に移ることにより内容物６の風味が損なわれることがない。
【００８１】
そして、本実施形態では、フィルター部２又はパック部１の両側面に配置され、側方に向けてそれぞれ突出可能な係合部４，４と、係合部に対して着脱可能に係合され、フィルター部２及びパック部１の立設状態を保持するスタンド部３ａ，３ｂとを備えているので、コップなどの縁にスタンド部３ａ，３ｂを配置させ、そのスタンド部３ａ，３ｂに係合部を係合させることで、内容物６が入ったフィルター部２をコップの開口より上部に位置させることができ、フィルター部２がコップ内の液体に浸かることが防止できる。その結果、内容物６の風味を損なうことを防止し、被災地においても美味しい飲み物を提供することができる。
【００８２】
また、本実施形態は、パック部１の開口における内面に形成され貼り合わせることで、当該パック部１を密封する密封部１２と、密封部１２を開閉させるための開閉操作部１５，１５とを有し、開閉操作部１５，１５は、パック部１の開口周縁において対向する箇所に、パック部１と一体的に形成される一対のツマミ部と、ツマミ部を挟み込むように、ツマミ部の表裏にわたって接着されるとともに、その両端部がフィルター部２及びパック部１のそれぞれの表面に接着される帯状のテープ部材とから構成されている。
【００８３】
このような本実施形態によれば、包装時にあっては、パック部１に、コーヒー粉、紅茶や緑茶の葉等の内容物６を収納し、開閉操作部１５，１５を用いて密封部１２を封止して、当該パック部１内を密封する。これにより、パック部１に内容物６を収納することにより、内容物６が外気に触れて酸化するのを防ぐことができ、内容物６の変質を抑止することができる。
【００８４】
また、開閉操作部１５，１５を用いて密封部１２を開放して、当該パック部１の密封を解除することで、パック部１内の内容物６を、連通部１１を介し、フィルター部２側に移動させて、フィルター部２において内容物６を濾過することができる。内容物６をフィルター部２側へ移動させた後のパック部１は、例えば切り取り線などを設けておくことによって、パック部１を連通部１１から切り離すようにしてもよい。
【００８５】
特に、本実施形態において、開閉操作部１５，１５は、パック部１の開口周縁において対向する箇所に、パック部１と一体的に形成される一対のツマミ部と、ツマミ部を挟み込むように、ツマミ部の表裏にわたって接着されるとともに、その両端部がフィルター部２及びパック部１のそれぞれの表面に接着される帯状のテープ部材とから構成されているので、このような開閉操作部１５，１５を掴んで、左右に拡げた際、その応力がツマミ部に集中することなく、両端部に接着されたフィルター部２及びパック部１に伝達することができるので、ツマミ部を破壊することを防止しつつ、その応力をツマミ部と一体的に形成されているパック部１の密封部１２に適切に伝達させることができる。
【００８６】
また、本実施形態は、フィルター部２に対してお湯を供給するための加熱用具１００として機能する包装容器を有している。具体的に、加熱用具１００は、開口を有し、水密性の素材で形成された水密容器１１０と、水密容器１１０を収納可能な開口１０１ａを有する水密性の加熱容器部１０１と、水密容器１１０とともに加熱容器部１０１内に収納され、水和反応又は酸化反応により発熱する加熱剤１２０とを備えているので、水密容器１１０に水を入れた状態で加熱容器部１０１内に収納し、その加熱容器部１０１内に水を入れることで、加熱容器部１０１内に収納された加熱剤１２０に水和反応又は酸化反応を生じさせ、加熱容器部１０１内の水密容器１１０を加熱することができる。これにより、本実施形態では、災害発生時などにおいて、ガスや電気を用いることなくお湯を沸かすことができるので、美味しい飲み物を安全に提供することができる。
【００８７】
また、本実施形態では、加熱容器部１０１の外表面を囲繞する断熱性の断熱部１０３を備えているので、お湯が沸いた場合でも断熱部１０３を介して加熱容器部１０１を掴むことができるので、利用者は、火傷することなく包装容器１０全体を掴んで、内容物６が収納されたフィルターにお湯を注ぐことができる。
【００８８】
さらに、本実施形態では、加熱容器部１０１の開口の周縁部に吸水性の吸水部１３０が取付けられているので、包装容器１０を掴んで傾けた場合、加熱剤１２０と反応させるための水は吸水部１３０によって吸水され、フィルター内に反応水が注がれてしまうことを防止できる。
【００８９】
また、本実施形態は、加熱容器内に挿入され、開口１０１ａを塞ぐ蓋体部１４０を有しているので、蓋体部１４０によって開口を塞ぐことで、水和反応又は酸化反応によって発生した熱源が加熱容器部１０１から排出されてしまうことが防止でき、水密容器１１０内の水を短時間で沸かすことができる。これにより、ぬるま湯などではなく熱湯を発生させることができるので、美味しい珈琲を入れることができる。
【００９０】
さらに、本実施形態では、断熱部１０３及び加熱容器部１０１の両側面における、加熱容器部１０１内に挿入された蓋体部１４０に対応した箇所に、断熱部１０３及び加熱容器部１０１を貫通するようにして形成される切込部１０４，１０４とを備え、断熱部１０３及び加熱容器部１０１は、内部に水密容器１１０を収納して蓋体部１４０によって開口を塞いだ状態において、切込部よりも上部を内方に凹ませて蓋体部１４０を保持する機構を有しているので、加熱剤１２０の水和反応又は酸化反応によって加熱容器部１０１内の蒸気圧が変化し、蓋体部１４０が開口から外れてしまうことを防止できる。
【００９１】
（変更例）
なお、上述した実施形態では、加熱用具１００は、加熱容器部１０１は、アルミニウム箔など耐熱性フィルムから形成され、水密容器部１１０は、ポリエチレンなどの合成樹脂で形成させたが、本発明は、これに限定するものではなく水密性及び耐熱性を有していればよく、種々の素材を用いることができる。ここで、例えば、加熱用具１００は、複数回利用可能であり、また、加熱容器部１０１や水密容器部１１０が耐圧性を有するように、金属部材や強化プラスチックなどで作成してもよい。
【００９２】
さらに、上述した実施形態において、水密容器部１１０には、開口部分は１箇所のみ作成したが、例えば、注ぎ口のほかに、水密容器部１１０内に発生した蒸気を逃がして容器内の圧を調整する予備水口を形成させてもよい。なお、予備水口には、上記を逃すための安全弁が形成されるものとする。また、上述した実施形態において、加熱用具１００には、加熱容器部１０１に注ぎ込む加熱用の水１２１を収納したパック部材を同封してもよい。さらに、上述した加熱用具１００は、お湯を沸かすために用いたが、本発明はこれに限定するものではなく、例えば、レトルト食品やカップ麺などの乾物など熱いお湯を利用する様々な食品に利用することができる。
【符号の説明】
【００９３】
１…パック部
１ａ…開口
２…フィルター部
２ａ…開口
３…スタンド部
４，４…係合部
４ａ…切欠線
５…包装パック
６…内容物
７…切れ取り線
９…マグカップ
９ａ…開口
１０…包装容器
１１…連通部
１２…密封部
１２ａ…凹条部
１２ｂ…凸条部
１３…端部１３
１３…縁部
１３ｃ，１３ｃ…ツマミ部
１５，１５…開閉操作部
１７…テープ部材
３０ａ…中央部
３０ａ，３０ａ…両端部
３０ｂ…中央部
３１，３１…折り曲げ線
３２，３２…孔部
３３…切り取り線
３４…切り欠き部
４１…支持部
４２…アーム部
４３…周縁部
４４…補強部
１００…加熱用具
１００ａ…開口
１０１…加熱容器部
１０１ａ…開口
１０３…断熱部
１０４…切込部
１０５…カバー部
１１０…水密容器部
１１０ａ…首部
１１１…蓋部
１１２…取手部
１１２ａ…貫通孔
１１４…棒状部材
１１５…飲料水
１２０…加熱剤
１２１…反応用水
１３０…吸水部
１４０…蓋体部
１４０ａ…噴出口
１４０ｂ…嵌合孔
１４１…底板部
１４２…突出部
【図１】
2015166940.tif 000003
【図２】
2015166940.tif 000004
【図３】
2015166940.tif 000005
【図４】
2015166940.tif 000006
【図５】
2015166940.tif 000007
【図６】
2015166940.tif 000008
【図７】
2015166940.tif 000009
【図８】
2015166940.tif 000010
【図９】
2015166940.tif 000011
【図１０】
2015166940.tif 000012
【図１１】
2015166940.tif 000013
【図１２】
2015166940.tif 000014
【図１３】
2015166940.tif 000015
【図１４】
2015166940.tif 000016
【図１５】
2015166940.tif 000017
【図１６】
2015166940.tif 000018
【図１７】
2015166940.tif 000019
【図１８】
2015166940.tif 000020
【国際調査報告】
2015166940.tif 000021
2015166940.tif 000022
2015166940.tif 000023
2015166940.tif 000024